(57)【要約】【課題】本発明は、薄型化および小型化に対応できるストロボ装置を提供する。【解決手段】本発明は、光源と、光源から発せられた光を反射して前方に照射する反射傘と、光源および反射傘からの光を被写体に向けて配光する光学パネルとを備えたストロボ装置において、反射傘は、側板がなく、光学パネルは、入射側レンズの両側部において、光源側に向うにしたがって先細りになるように、入射側レンズ面と一体的に成形される楔状の側部導光部を有し、かつ、被写体側レンズの両側部において、光源の長さ方向に対する立面となるように、被写体側レンズ面と一体的に成形される平面形状の側部反射部を有し、反射傘の側方開口部の周辺に向けて射出される周辺光は、側部導光部の入射面に入射した後、側部反射部の反射面で全反射され、光学パネルの内部を透過した上で被写体側レンズ面から射出されることを特徴とする。【選択図】図２
2014134715.tif 000002
【特許請求の範囲】
【請求項１】
光源と、光源から発せられた光を反射して前方に照射する反射傘と、光源および反射傘からの光を被写体に向けて配光する光学パネルとを備えたストロボ装置において、
反射傘は、側板がなく、
光学パネルは、入射側レンズの両側部において、光源側に向うにしたがって先細りになるように、入射側レンズ面と一体的に成形される楔状の側部導光部を有し、かつ、被写体側レンズの両側部において、光源の長さ方向に対する立面となるように、被写体側レンズ面と一体的に成形される平面形状の側部反射部を有し、
反射傘の側方開口部の周辺に向けて射出される周辺光は、側部導光部の入射面に入射した後、側部反射部の反射面で全反射され、光学パネルの内部を透過した上で被写体側レンズ面から射出されることを特徴とするストロボ装置。
【請求項２】
筒状のコアの外周部に一次巻線及び二次巻線が巻き回されるトリガーコイルが、反射傘の側部に配置されることを特徴とする請求項１に記載のストロボ装置。
【請求項３】
光学パネルの被写体側レンズ面が平面形状であることを特徴とする請求項１または２に記載のストロボ装置。
【発明の詳細な説明】
【技術分野】
【０００１】
本発明は、例えば写真撮影に用いられるストロボ装置に関する。
【背景技術】
【０００２】
この種のストロボ装置は、閃光放電管と、閃光放電管から発せられた光を反射して前方に照射する反射傘と、光源及び反射傘からの光を被写体に向けて配光する光学パネルとを備えているのが一般的である。
【０００３】
そして、反射傘は、その両端部に側板が配置されて、閃光放電管の長手配光を調節している。また、光学パネルは、閃光放電管の長手配光を稼ぐべく、長手方向の寸法を大きくとっている。
【０００４】
しかしながら、昨今では、小型化および薄型化が主流になっており、反射傘の側板を不要にし、光学パネルの長手方向の寸法も制限するようになっている。
【０００５】
そして、反射傘の側板をなくし、光学パネルの長手方向の寸法を制限した場合、側板での反射光がなくなり、左右の配光が広げられなくなる。すなわち、十分な射出面積が得られないことから、閃光放電管からの光線が、光学パネル体裁面のない部分で、ケラレが発生して、所望する左右配光角度が得られないという問題が生じる。
【０００６】
この問題を解決すべく、光学パネルを改良して、装置全体が大型化することなく、射出光量の損失を少なくできるストロボ装置が提供されるようになっている（例えば、特許文献１参照）。
【０００７】
斯かるストロボ装置に関し、特に、反射傘および光学パネルについて説明する。反射傘は、閃光放電管の管軸に直交する垂直断面が略Ｕ字状の湾曲形状を呈している。また、反射傘は、前方に開口した前方開口部と、両側端部に側方開口部とを有している。
【０００８】
光学パネルは、入射側及び射出側の両方に、正のパワーを有するレンズ面を有する凸レンズ部を備えている。また、光学パネルは、入射側レンズの左右両方の側端部において、入射側レンズ面と一体的に形成された側面反射部を有している。
【０００９】
側面反射部は、光源側に向かうにしたがって先細りになるように、楔形状に形成されている。また、側面反射部は、光軸の側に側面入射面と、光軸の反対側に側面反射面とを有している。側面入射面は、管軸に直交する垂直断面（Ｙ−Ｚ方向）に関し、側面入射角度（５度程度）をなしている。側面反射面は、管軸に直交する垂直断面（Ｙ−Ｚ方向）に関し、側面反射角度（２５度程度）をなしている。
【００１０】
また、レンズ面と側面入射面との一方の交線と他方の交線との間の間隔は、閃光放電管のアーク長より離れている。
【００１１】
そして、斯かるストロボ装置によれば、反射傘の側方開口部の周辺に向けて射出された周辺光は、側面入射面で入射した後、側面反射面で全反射され、側面反射部の内部を透過した上で、射出側レンズ面から射出され、射出側レンズ面で全反射することなく前方に向けて照射される。
【先行技術文献】
【特許文献】
【００１２】
【特許文献１】特開２００２−２９６６４７号公報
【発明の概要】
【発明が解決しようとする課題】
【００１３】
しかしながら、特許文献１に係るストロボ装置においては、垂直断面に対して所定の角度を有する楔状の側面反射部が、光学パネルの両端部に１個ずつあるため、光学パネルの長手方向の寸法が、閃光放電管のアーク長に対して、非常に長くなって、大型化してしまう。
【００１４】
また、光学パネルは、凸レンズ部を備えているので、光学パネルと反射傘との間隔を狭くしようとした場合、閃光放電管の上下方向の配光が十分に得ることができない。したがって、薄型化するのが難しい。
【００１５】
また、トリガーコイルなどの部品が反射傘の真横に配置される場合、光学パネルを通してトリガーコイルなどの部品が外部から見えてしまうという問題がある。
【００１６】
よって、本発明は、斯かる事情に鑑み、小型化および薄型化に対応できるストロボ装置を提供することを主たる課題とし、併せて、トリガーコイルを光源の真横に配置しても、光学パネルを通してトリガーコイルが外部から見えることがないストロボ装置を提供することを従たる課題とする。
【課題を解決するための手段】
【００１７】
本発明に係るストロボ装置は、光源と、光源から発せられた光を反射して前方に照射する反射傘と、光源および反射傘からの光を被写体に向けて配光する光学パネルとを備えたストロボ装置において、反射傘は、側板がなく、光学パネルは、入射側レンズの両側部において、光源側に向うにしたがって先細りになるように、入射側レンズ面と一体的に成形される楔状の側部導光部を有し、かつ、被写体側レンズの両側部において、光源の長さ方向に対する立面となるように、被写体側レンズ面と一体的に成形される平面形状の側部反射部を有し、反射傘の側方開口部の周辺に向けて射出される周辺光は、側部導光部の楔状の入射面に入射した後、側部反射部で全反射され、光学パネルの内部を透過した上で被写体側レンズ面から射出されることを特徴とする。
【００１８】
斯かる構成によれば、反射傘の側部導光部の周辺に向けて射出される周辺光が、側部導光部の楔状の入射面に入射した後、側部反射部で全反射され、光学パネルの内部を透過した上で被写体側レンズ面から射出され、被写体側レンズ面で全反射することなく前方に向けて広角に照射されるので、光学パネルの長手方向の寸法を小さくすることができる。すなわち、小型化に対応できる。また、特許文献１に係るストロボ装置のように、光学パネルに凸レンズを使用していないため、反射傘と光学パネルとの間隔を狭くできる上、閃光放電管の上下方向の配光が十分に得ることができる。したがって、薄型化に対応することができる。
【００１９】
また、本発明に係るストロボ装置は、トリガーコイルを、反射傘の側部に配置するような構成を採用することもできる。
【００２０】
斯かる構成によれば、光学パネルにおいて、入射側レンズ面の両側部に成形される側部導光部と、被写体側レンズ面の両側部に成形される側部反射部とを備えるようにしたので、光学パネルの長手方向の寸法を小さくできる。さらに、光学パネルの長手方向の寸法を小さくしても、反射傘の側部導光部の周辺に向けて射出される周辺光が、側部導光部の楔状の入射面に入射した後、側部反射部で全反射されるので、ケラレを発生させることがない。したがって、トリガーコイルを、反射傘の側方（真横）に配置しても、光学パネルを通してトリガーコイルが外部から見えることがない。
【００２１】
また、本発明に係るストロボ装置は、光学パネルの被写体側レンズ面が平面形状であることが好ましい。
【００２２】
斯かる構成によれば、被写体側レンズ面で反射されることなく、前方に向けて広角に照射されるので、周辺領域を明るくすることができる。
【発明の効果】
【００２３】
以上の如く、本発明に係るストロボ装置によれば、小型化および薄型化に対応できる、という優れた効果を奏する。
【図面の簡単な説明】
【００２４】
【図１】本発明の一実施形態に係るストロボ装置の全体斜視図
【図２】同実施形態に係るストロボ装置の図１のＡ−Ａ線における全体断面図
【図３】同実施形態に係るストロボ装置の全体分解斜視図
【図４】同実施形態に係るストロボ装置の周辺光の配光状態を示す図
【図５】同実施形態に係るストロボ装置の左右方向の配光特性を示す図
【発明を実施するための形態】
【００２５】
以下、本発明に係るストロボ装置における一実施形態について、図１〜図５を参酌して説明する。
【００２６】
図１〜図３に示すように、本実施形態に係るストロボ装置１は、光を放射する光源としての閃光放電管２と、閃光放電管２の一部を内部に収容し、閃光放電管２のトリガー外部電極として機能する導電性の反射傘３と、閃光放電管２の他端部に配置されるトリガーコイル４とを備える。また、ストロボ装置１は、反射傘３を収容するベース６と、閃光放電管２の一端部をベース６に固定させるブッシング７と、透光性を有し、ベース６とにより反射傘３を保持する光学パネル８とを備える。
【００２７】
閃光放電管２は、内部にキセノン等の希ガスが所定圧力で封入されている管状のガラスバルブ９と、一端に配置されるアノード１０と、他端に配置されるカソード１１とを備える。そして、閃光放電管２は、封入されているガスに電子が衝突することで発生する光を外部に放射するように構成されている。
【００２８】
アノード１０は、棒状電極であって、ガラスビード（図示しない）を介して溶着されることで、ガラスバルブ９の一端部に挿通状態で固定される。また、カソード１１は、ガラスビード（図示しない）を介して溶着されることで、ガラスバルブ９の他端部に挿通状態で固定される。
【００２９】
反射傘３は、閃光放電管２のトリガー外部電極として機能すべく、閃光放電管２の外周面に当接する底部１４と、閃光放電管２から放射された光を外部に放射する開口部１５とを備える。また、反射傘３は、側板がなく、しかも、開口部１５は、閃光放電管（光源）２の有効長さ（実質的な発光領域長さ）程度の開口間口を有している。
【００３０】
トリガーコイル４は、筒状のコア２０と、コア２０の外周部に巻き回される一次巻線２１と、一端部が一次巻線２１の他端部に接続され、コア２０の外周部に巻き回される二次巻線２２とを備える。
【００３１】
反射傘３とトリガーコイル４とは、導電体２３を介して電気的に接続される。導電体２３は、スプリングであり、閃光放電管２に挿通されると共に、トリガーコイル４の二次巻線２２と反射傘３とを電気的に接続すべく、軸線方向において縮んだ状態でトリガーコイル４の二次端子部２５と反射傘３の側部とに挟持されている。
【００３２】
ベース６は、絶縁性を有する本体２７と、本体２７の内側に配置され、反射傘３の底部１４の外周部と当接する弾性体２８と、閃光放電管２のアノード１０と接続され、外部端子となるように板状に突設されるアノード端子部２９とを備える。そして、ベース６は、本体２７に光学パネル８が嵌合され、弾性体２８が弾性変形することにより、光学パネル８とで反射傘３を挟持する。
【００３３】
光学パネル８は、入射側レンズ面３０と、被写体側レンズ面３２とを有している。入射側レンズ面３０は、その両側部において、閃光放電管（光源）２側に向うにしたがって先細りになるように、入射側レンズ面３０と一体的に成形される楔状の側部導光部３１を有している。側部導光部３１は、図４に示すように、閃光放電管２の長さ方向に対して所定の角度（本実施形態では４５度からなる傾斜角度）を有する第１の入射面３１ａと、閃光放電管２の長さ方向に対する立面（本実施形態では９０度）からなる第１の照射面３１ｂとで構成される。また、入射側レンズ面３０には、閃光放電管２の長さ方向に対して所定の角度（本実施形態では４５度からなる傾斜角度、すなわち、第１の入射面３１ａに平行）を有する第２の入射面３１ｃと、閃光放電管２の長さ方向に対する立面（本実施形態では９０度、すなわち、第１の照射面３１ｂに平行）からなる第２の照射面３１ｄとを有している。
【００３４】
詳しくは、入射側レンズ面３０に、閃光放電管２の長さ方向と直交する方向（径方向）に沿って長尺な直角三角形状の溝を複数本（本実施形態では二本）形成することにより、閃光放電管２の長さ方向の中心側から外方に向かって、第２の照射面３１ｄ、第１の入射面３１ａ、第１の照射面３１ｂおよび第２の入射面３１ｃがその順に形成されている。
【００３５】
そして、第２の照射面３１ｄは、閃光放電管２の長さ方向において、反射傘３の側面部と同じないし略同じ位置に形成されている。また、第２の入射面３１ｃは、閃光放電管２の長さ方向において、後述する側部反射部３３よりも内側に形成されている。なお、溝は一本でもいいし、三本以上形成されてもよい。たとえば、三本であれば、閃光放電管２の長さ方向の中心側から外方に向かって、第３の照射面、第１の入射面、第１の照射面、第２の入射面、第２の照射面および第３の入射面がその順に形成されることになる。
【００３６】
被写体側レンズ面３２は、平面形状を呈している。また、被写体側レンズ面３２は、その両側部において、閃光放電管２の長さ方向に対する立面（本実施形態では９０度）となるように、被写体側レンズ面３２と一体的に成形される平面形状（平面視では半円弧形状）の反射面３３ａで構成される側部反射部３３を有している。
【００３７】
そして、反射傘３の側方開口部の周辺に向けて射出される周辺光Ｘは、その一部が、第２の入射面３１ｃに入射した後、側部反射部３３の反射面３３ａで全反射される一方、大半が、入射側レンズ面３０の端部及び第１の入射面３１ａから入射した後、第２の照射面３１ｄ、及び第１の照射面３１ｂ、側部反射部３３の反射面３３ａで全反射される。
【００３８】
したがって、本発明に係るストロボ装置１によれば、ケラレが発生することなく、閃光放電管からの放射光を十分に取り込んで、被写体側に向けて照射することができる。
【００３９】
また、本実施形態に係るストロボ装置１によれば、側部導光部３１の楔状の第１の入射面３１ａに入射した光の一部が第１の照射面３１ｂに反射されるとともに、それ以外の光が側部反射部３３の反射面３３ａで全反射されるので、光学パネル８の長手方向の寸法を小さくできる。すなわち、小型化できる。さらに、光学パネル８の長手方向の寸法を小さくできることから、閃光放電管２の真横に配置したトリガーコイル４は、光学パネル８を通して外部から見えることがない。
【００４０】
また、本実施形態に係るストロボ装置１によれば、特許文献１に係るストロボ装置のように、光学パネル８に凸レンズを使用していないため、反射傘３と光学パネル８との間隔を狭くできる上、閃光放電管の上下方向の配光が十分に得ることができる。したがって、薄型化に対応することができる。
【００４１】
また、本実施形態に係るストロボ装置１によれば、光学パネル８の被写体側レンズ面３２が平面形状であることから、被写体側レンズ面３２で反射されることなく、前方に向けて広角に照射されるので、周辺領域を明るくすることができる。
【００４２】
つぎに、本実施形態に係るストロボ装置１の配光特性について、図５および表１を参照して説明する。図５は、配光角の中心を０ＥＶとしたときの偏差ΔＥＶと、左右方向の配光角度との関係を示したものであり、側部導光部３１があるストロボ装置の実線で示し、側部導光部３１がないストロボ装置を鎖線で示す。この図５から分かるように、鎖線に示す配光特性は、左右の配光特性がやや急勾配の曲線Ａを描くのに対し、実線に示す配光特性は、左右の配光特性が、曲線Ａよりも緩やかな曲線Ｂを描いている。
【００４３】
また、表１は、側部導光部３１があるストロボ装置、および、側部導光部３１がないストロボ装置について、上下方向の配光特性、および、左右方向の配光特性を示したものである。この表１から分かるように、上下方向の配光特性、および、左右方向の配光特性については、側部導光部３１がないストロボ装置は、上下方向の配光特性の合計値が６７．６７であるのに対し、側部導光部３１があるストロボ装置は、上下方向の配光特性の合計値が６８．３９である。また、側部導光部３１がないストロボ装置は、左右方向の配光特性の合計値が８３．１２であるのに対し、側部導光部３１があるストロボ装置は、左右方向の配光特性の合計値が９０．４７である。
【００４４】
【表１】
2014134715.tif 000003
【００４５】
以上の結果から側部導光部３１がないストロボ装置と、側部導光部３１があるストロボ装置とを対比した場合、図５および図６のいずれについても、側部導光部３１がないストロボ装置よりも、側部導光部３１があるストロボ装置の方が、優秀な特性であることを示している。
【００４６】
なお、本発明に係るストロボ装置は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４７】
例えば、上記実施形態に係るストロボ装置１においては、閃光放電管２の表面に薄膜透明電極が設けられていない構成を説明したが、斯かる構成に限られず、閃光放電管２の表面に薄膜透明電極が設けられている構成でもよい。斯かる構成であっても、閃光放電管２から放射される光を十分に照射することができる。
【００４８】
また、上記実施形態に係るストロボ装置１においては、閃光放電管２の他端部がトリガーコイル４のコア２０の内部に挿入される構成を説明したが、斯かる構成に限られない。例えば、閃光放電管２の一端部がトリガーコイル４のコア２０の内部に挿入される構成でもよい。
【産業上の利用可能性】
【００４９】
本発明に係るストロボ装置は、閃光放電管から放射される光を広角に照射させることができる、例えば写真撮影に用いられるストロボ装置として有用である。
【符号の説明】
【００５０】
１  ストロボ装置
２  閃光放電管
３  反射傘
４  トリガーコイル
８  光学パネル
９  ガラスバルブ
３０  入射側レンズ面
３１  側部導光部
３１ａ  入射面
３２  被写体側レンズ面
３３  側部反射部
３３ａ  反射面
【図３】
2014134715.tif 000004
【図４】
2014134715.tif 000005
【図１】
2014134715.tif 000006
【図２】
2014134715.tif 000007
【図５】
2014134715.tif 000008